(57)【要約】【課題】無彩色の部分の色温度を変えることなく有彩色の色温度を下げることができる色温度補正回路を提供すること。【解決手段】本発明に係る色温度補正回路は、輝度信号から彩度を算出する手段と、前記算出された彩度に基づいて無彩色と判定されたときには色温度を変えず、有彩色と判定されたときには色温度を下げる手段とを有する。或は、輝度信号から無彩色部分を検出する検出手段と、輝度信号のうち青の信号の利得を下げて色温度を低下する手段と、前記検出手段が無彩色部分を検出したときに、前記色温度を低下する手段の出力を補正して無彩色部分の色温度の低下を抑制する補正手段とを有する。【選択図】図１
2007019914.tif 000002
【特許請求の範囲】
【請求項１】
輝度信号から彩度を算出する手段と、前記算出された彩度に基づいて無彩色と判定されたときには色温度を変えず、有彩色と判定されたときには色温度を下げる手段とを有することを特徴とする色温度補正回路。
【請求項２】
輝度信号から無彩色部分を検出する検出手段と、輝度信号のうち青の信号の利得を下げて色温度を低下する手段と、前記検出手段が無彩色部分を検出したときに、前記色温度を低下する手段の出力を補正して無彩色部分の色温度の低下を抑制する補正手段とを有することを特徴とする色温度補正回路。
【発明の詳細な説明】
【技術分野】
【０００１】
本発明は、色温度補正回路に関するものである。
【背景技術】
【０００２】
従来、カラーテレビジョン受信機においては、白色の色再現を視聴者の好みに合わせるため、色温度を高めに設定している。しかし、色温度の設定を高くすると、白色以外の色の再現性が悪くなるという問題があるため、白色部分のみ色温度を補正し、着色部分に補正が掛らないようにした方法が種々考えられている。
【０００３】
その一例が特許文献１に記載されている。これを図４を用いて説明する。
【０００４】
図４は特許文献１に記載されている従来技術の構成図であって、１０１は色検出回路、１０２は電圧制御電流源、１０３はスイッチ、１０４，１０５，１０６は抵抗、１０７は最大値回路、１０８は電圧源、１０９は比較器である。
【０００５】
この従来例は、赤（Ｒ），緑（Ｇ），青（Ｂ）の３つの原色信号に対応する３つの色差信号Ｒ−Ｙ，Ｇ−Ｙ，Ｂ−Ｙが入力となっており、これらの色差信号は色検出回路１０１に入力される。色検出回路１０１は、３つの色差信号Ｒ−Ｙ，Ｇ−Ｙ，Ｂ−Ｙの最大値を得る最大値回路１０７と、この最大値回路１０７の出力電圧と電圧源１０８からの色差レベルが零に相当する基準電圧とを比較する比較器１０９とから成る。この比較器１０９は、色が無い、即ち白色等の無彩色の部分では、色差信号Ｒ−Ｙ，Ｇ−Ｙ，Ｂ−Ｙのレベルが全て零であるため、最大値回路１０７の出力電圧が電圧源１０８の基準電圧と等しくなり、比較器１０９はスイッチ１０３をオンさせる。
【０００６】
又、色のある着色部分では、３つの色差信号Ｒ−Ｙ，Ｇ−Ｙ，Ｂ−Ｙのうち少なくとも１つはレベルが零よりも高いので、最大値回路１０７の出力がレベル零よりも高くなって、比較器１０９はスイッチ１０３をオフとする。スイッチ１０３がオンの時には、電圧制御電流源１０２で発生した電流Ｉ（＝Ｋ・Ｙ。但し、Ｋは正の係数）が抵抗１０６を介して流れる色差信号Ｂ−Ｙの電流に加算され、色差信号Ｂ−Ｙのレベルが高くなるため、その分だけ白色が青方向に補正され色温度が高くなる。
【０００７】
このように、白や灰色の無彩色部分のみ色温度が高く補正され、着色部分では、色温度の補正が行われない。
【特許文献１】特開平７−０２３４１４号公報
【発明の開示】
【発明が解決しようとする課題】
【０００８】
しかしながら、従来の技術では白色を表示させる時に色バランスを変えているために表示装置の持つ最大輝度を出すことができない。即ち、表示装置の持つ最大輝度を出すためには、Ｒ、Ｇ、Ｂ全ての色を最大レベルにする必要があるが、従来技術ではＲ，Ｇに比べてＢのレベルを高くすることになるため、Ｒ，Ｇは表示し得る最大レベルよりも低いレベルに設定しなければならず、表示装置の持つ最大輝度を出すことができない。
【０００９】
表示装置の最大輝度を出す時に高い色温度となるようにした場合、白の色温度を補正しないで着色部分での色温度の補正をする必要がある。
【００１０】
従来例においてスイッチ１０３のオン／オフの動作を逆にし、係数Ｋに負の値を設定すれば無彩色部分の色温度は補正されず、着色部分で色温度の補正が行われるようになるが、この場合、Ｂが０の時にも補正が行われる場合があり、不都合が生じる。
【００１１】
本発明は、無彩色の部分の色温度を変えることなく有彩色の色温度を下げることができる色温度補正回路を提供することを目的とする。
【課題を解決するための手段】
【００１２】
上記目的を達成するため、請求項１記載の色温度補正回路は、輝度信号から彩度を算出する手段と、前記算出された彩度に基づいて無彩色と判定されたときには色温度を変えず、有彩色と判定されたときには色温度を下げる手段とを有することを特徴とする。
【００１３】
又、請求項２記載の色温度補正回路は、輝度信号から無彩色部分を検出する検出手段と、輝度信号のうち青の信号の利得を下げて色温度を低下する手段と、前記検出手段が無彩色部分を検出したときに、前記色温度を低下する手段の出力を補正して無彩色部分の色温度の低下を抑制する補正手段とを有することを特徴とする。
【発明の効果】
【００１４】
請求項１記載の発明によれば、彩度を算出し、彩度の高い部分のみ色温度を下げることで白（無彩色）の色温度は変わらないため、白の色温度を変えることなく、有彩色部分の色温度を下げることができる。
【００１５】
請求項２記載の発明によれば、無彩色に近い色を検出し、色温度を一律に下げた後に無彩色に近い色は再度色温度を高めるため、白の色温度を変えることなく、有彩色部分の色温度を下げることができる。
【発明を実施するための最良の形態】
【００１６】
以下に本発明の実施の形態を添付図面に基づいて説明する。
【００１７】
＜実施の形態１＞
図１は本発明の実施の形態１に係る色温度補正回路の構成を示すブロック図である。
【００１８】
本実施の形態に係る色温度補正回路は、最大値検出回路１、最小値検出回路２、減算器３、割算器４及び利得制御回路５を備えている。
【００１９】
入力されたＲＧＢ信号は、最大値検出回路１及び最小値検出回路２に入力され、それぞれ最大値Ｍａｘ及び最小値Ｍｉｎが出力される。減算器３では（Ｍａｘ−Ｍｉｎ）が算出されて割算器４に入力される。割算器４ではＭａｘで除算が行われる。従って、割算器の出力Ｓ１は、
Ｓ１＝（Ｍａｘ−Ｍｉｎ）／Ｍａｘ
となる。この値は（Ｍａｘ−Ｍｉｎ）が小さいほど小さな値となってＭａｘ＝Ｍｉｎの時最小値０をとる。
【００２０】
又、（Ｍａｘ−Ｍｉｎ）が大きくなると大きな値となり、Ｍｉｎ＝０の時最大値１を取る。従って、Ｓ１は彩度を表す量と考えられる。利得制御回路５は、入力されるＳ１の値に応じた係数をＢの信号に掛けることによりＢの値を補正する。即ち、最大値検出回路１、最小値検出回路２、減算器３及び割算器４によって補正値算出回路が構成され、利得制御回路５が補正回路に相当する。
【００２１】
図２に利得制御回路の特性例を示す。
【００２２】
Ｓ１が０の時には利得は１となって信号に補正が掛からない。Ｓ１が大きくなるに連れて利得は１より減少してゆき、Ｓ１がＴｈ以上では一定値となる。即ち、有彩色であってＳ１がＴｈ以上となる範囲では色温度は白色よりも低い或る色温度に補正される。Ｓ１がＴｈより小さく白に近いほど色温度の低下は少なくなる。Ｓ１がＴｈ以下において補正値を徐々に変化させているのは、有彩色から無彩色へと変化していく時に急激な色温度の変化が起こらないようにするためである。
【００２３】
＜実施の形態２＞
次に、本発明の実施の形態２について説明する。
【００２４】
図３は本実施の形態に係る色温度補正回路の構成を示すブロック図である。
【００２５】
本実施の形態に係る色温度補正回路は、補正値算出回路６、乗算器７及び加算器８から構成され、補正値算出回路６は最大値検出回路１、最小値検出回路２、乗算器９、減算器１０、リミッタ１１及び乗算器１２を備えている。
【００２６】
本実施の形態に係る色温度補正回路は、乗算器７においてＢに１以下の係数ａを乗算することによって色温度を下げる。その後、補正値算出回路６の出力を加算器８によって加算することにより無彩色については色温度を上げて元に戻し、結果として有彩色のみ色温度を下げる。
【００２７】
ここで、補正値算出回路６について詳しく説明する。
【００２８】
入力のＲ，Ｇ，Ｂ信号は、最大値検出回路１及び最小値検出回路２に入力され、それぞれ最大値Ｍａｘと最小値Ｍｉｎが出力される。最小値Ｍｉｎは乗算器でｐ倍された後減算器に入力され最大値Ｍａｘが減算される。
【００２９】
従って、減算器の出力Ｓ２は
Ｓ２＝ｐ＊Ｍｉｎ−Ｍａｘ
となる。
【００３０】
Ｍａｘの値を固定して考えるとＳ２はＭｉｎが大きいほど大きな値を取り、Ｍｉｎ＝Ｍａｘの時に最大値（ｐ−１）＊Ｍａｘを取る。ＭｉｎとＭａｘが等しい時は白ということになるので、Ｓ２は白（無彩色）に近いほど大きい値を取ることになる。
【００３１】
又、Ｓ２は信号レベルに比例する量である。例えば入力（Ｒ，Ｇ，Ｂ）＝（Ｒ１，Ｇ１，Ｂ１）とし、最大値がＲ１、最小値がＢ１であったとすると、このときのＳ２はｐ＊Ｂ１−Ｒ１となる。そして、この入力信号をｋ倍した信号（ｋ＊Ｒ１，ｋ＊Ｇ１，ｋ＊Ｂ１）についてはＳ２はｋ＊（ｐ＊Ｂ１−Ｒ１）となり、Ｓ２もｋ倍となっている。
【００３２】
Ｓ２はリミッタ１１に入力されＳ２が正の場合の時Ｓ２がそのままＳ２’として出力され、負の時にはＳ２’は０となる。
【００３３】
Ｓ２’は乗算器１２に入力されて係数ｂが乗算されΔＢとして補正値算出回路の出力となる。ｂはＭａｘ＝Ｍｉｎの時に色温度の低下が０となるようにするための係数である。  ΔＢは、白に近いほど大きな値であり且つ信号レベルに比例する量であるので、これを加算器８でＢに加算することにより白に近いほど色温度が高く補正される。
【００３４】
ここで、乗算器７によって予め色温度が下げられているので、有彩色については色温度が低く補正され、白に近いほど色温度の低下が抑制されることになる。
【００３５】
尚、本実施の形態における乗算器７を加算器８の後段に配置する構成も考えられるが、この場合、加算器８によってＢの値が増加するためＢの信号の取り得る値の範囲を大きくする必要がある。本実施の形態の配置の場合には、Ｂの値は乗算器７によって小さな値にしてから加算器８によって元に戻すため信号の取り得る範囲を大きくしなくて済む効果がある。
【図面の簡単な説明】
【００３６】
【図１】本発明の実施の形態２に係る色温度補正回路の構成を示すブロック図である。
【図２】本発明の実施の形態１における利得制御回路の特性を説明する図である。
【図３】本発明の実施の形態１に係る色温度補正回路の構成を示すブロック図である。
【図４】従来技術を説明するブロック図である。
【符号の説明】
【００３７】
１    最大値検出回路
２    最小値検出回路
３    減算器
４    割算器
５    利得制御回路
６    補正値算出回路
７    乗算器
８    加算器
９    乗算器
１０    減算器
１１    リミッタ
１２    乗算器
１０１  色検出回路
１０２  電圧制御電流源
１０３  スイッチ
１０４〜１０６  抵抗
１０７  最大値回路
１０８  電圧源
１０９  比較器
【図１】
2007019914.tif 000003
【図２】
2007019914.tif 000004
【図３】
2007019914.tif 000005
【図４】
2007019914.tif 000006